(57)【要約】【課題】  通常のドア板としての風雨の遮断性能を低下させることなく、自然災害時等にドア板の下半部に開閉障害が生じた場合においても、ドア板の上側部分を開いての非難行動を可能とした建物のドア板を提供する。【解決手段】  屋外側パネル面ＰＡの下端を下方に延長する態様の雨切り板２４を備え、戸枠に開閉自在に建て付けるパネル状の上側ドア板２０Ａと、室内側パネル面ＰＢの上端を上方に延長する態様の雨返し板２５を備え、上側ドア板２０Ａとの間に所定の動作クリアランスＧを設定して戸枠に開閉自在に建て付ける下側ドア板２０Ｂとを連結解除手段３０によって連結し、また、分離可能としてなる。【選択図】  図５
2014114668.tif 000002
【特許請求の範囲】
【請求項１】
ドア板が締め切られた状態において人が脱出することが可能なサイズの開口部が形成され、該開口部に非常用開閉部材を組み込んでなる建物のドアにおいて、
前記ドア板は、戸枠に開閉自在に建て付ける非常用開閉部材であるドア板と、戸枠に開閉自在に建て付けるドア板と、これら両ドア板の連結と解除が可能な連結解除手段を備えることを特徴とする建物のドア。
【請求項２】
前記非常用開閉部材はドアノブを操作部とすることで開閉するものであり、建物のドア板を開閉するドアノブが前記非常用開閉部材のドアノブを兼用していることを特徴とする請求項１記載の建物のドア。
【請求項３】
建物のドア板を開閉するドアノブを操作部とするロック機構を備え、該ロック機構は、前記非常用開閉部材のドアノブを操作部とするロック機構を兼用していることを特徴とする請求項１記載の建物のドア。
【請求項４】
前記ドア板は、戸枠に開閉自在に建て付ける非常用開閉部材である上側ドア板と、戸枠に開閉自在に建て付ける下側ドア板と、該下側ドア板と前記上側ドア板とを揃えて分離可能に連結する連結解除手段とを備え、
前記ドア板は、前記上側ドア板に前記ドアノブを操作部とするラッチロック機構を備え、該ラッチロック機構は、前記ドアノブとともに前記上側ドア板に取り付けられていることを特徴とする請求項３記載の建物のドア。
【請求項５】
前記ドア板は、戸枠に開閉自在に建て付ける非常用開閉部材である上側ドア板と、前記戸枠に開閉自在に建て付ける下側ドア板と、該下側ドア板と前記上側ドア板とを揃えて分離可能に連結する連結解除手段とを備え、
前記下側ドア板と前記上側ドア板とのいずれか一方または双方に室内側からのみ無鍵で操作可能な内鍵を備えることを特徴とする請求項１又は２に記載の建物のドア。
【請求項６】
前記ドア板は、戸枠に開閉自在に建て付ける非常用開閉部材である上側ドア板と、前記戸枠に開閉自在に建て付ける下側ドア板とを備え、
前記上側ドア板は、屋外側パネル面の下端を下方に延長する態様の雨切り板を備えるとともに、前記下側ドア板は、室内側パネル面の上端を上方に延長する態様の雨返し板を備え、前記連結解除手段は、前記動作クリアランスを前記雨切り板によって屋外側から塞ぐとともに前記動作クリアランスを前記雨返し板によって室内側から塞いで一直線状に揃った状態の前記上側ドア板と下側ドア板をロックすることを特徴とする請求項１ないし５のいずれか１項に記載の建物のドア。
【発明の詳細な説明】
【技術分野】
【０００１】
本発明は、主に建物の外回り部分、特に玄関口用のドアとして使用することによって、自然災害等に起因してドアが開かなくなった場合においても、ドアの一部分を開いて避難することができる建物のドアに関する。
【背景技術】
【０００２】
台風や地震、洪水、津波等の自然災害時における緊急避難に際しては、風圧や水圧、建付けの狂いによって引き戸やドアが開かないという事態が少なからず発生する。特に、このような事態が建物の玄関戸について生じた場合には、予期し得ない逃げ遅れ等の人命にかかわる深刻な問題となる。
【０００３】
従来、災害時に備えての避難心得として、先ず、火の始末をすることに次いで、玄関戸を開け放って避難経路を確保することに優先順位が付けられる。しかし、上記玄関戸を開け放って避難経路を確保するという災害時における避難心得は、地震災害時については妥当すると考えられるものの、地震以外の災害に対しては、必ずしも適切な対策であるとは言えない場合が多く、却って災害被害を拡大もしくは深刻化させる危険を内包する対策であるともいえる。すなわち、地震災害においては、建物に加わる激烈な振動によって生じ得る。例えば、玄関戸の戸枠の変形や損傷、建付けの狂いによって玄関戸が開かなくなる蓋然性が極めて大きいことから、玄関戸が開かなくなる前に予め玄関戸を開いて、避難通路を確保しておく必要がある。しかし、地震以外の、例えば近隣の火災に際しては熱風や火炎の侵入を阻止する必要から、台風災害においては暴風雨の侵入を阻止する必要において、洪水や津波に際しては土砂水や高波の流入を阻止する必要において、いずれも玄関戸を締め切っておく対応が求められる。しかし、玄関戸を締め切ることによって被害を避ける、または被害を最小限に抑えるという対応においては、風圧や水圧、土石流によって玄関戸が開かなくなった場合に、どのように避難経路を確保するのかということが問題となる。
【先行技術文献】
【特許文献】
【０００４】
【特許文献１】実開平７−２１９２８号公報
【特許文献２】特開２００５−３１４９５２号公報
【特許文献３】特開２０１１−１６３０８５号公報
【発明の概要】
【発明が解決しようとする課題】
【０００５】
災害時にドアが開かなくなるという問題に対しては、例えば、通常の縦横寸法のドア板の上側半分内に避難用のドアを組み込んだ構成を採用し、ドア本体を締め切って土石流や洪水の侵入を防止しつつ、必要に応じて避難用のドアを介しての脱出並びに、避難誘導を可能とする提案が見られる（上記特許文献１参照）。なお、同文献に示されるドア板の下側半分には、土石流等の侵入防止板が添設され、この部分においてドアの厚みが倍増するごとく構成されている。
【０００６】
また、同問題に対して、ドア板を上扉部分と下扉部分との上下２段構成とし、これに上扉部分の下端部と下扉部分の上端部とを突き合わせた状態で解除可能に接続する接続手段と、閉じ位置にある下扉部分をこの閉じ位置に解除可能に位置決めするチャイルドロック手段とを付設した提案例が見られる（上記特許文献２参照）。
【０００７】
上記提案においては、下扉部分を締め切った状態として上扉部分のみの開閉操作が可能である。
【０００８】
なお、本提案に示される技術は、是非の弁別能力を有しない幼児の安全確保を目的とするものであって、災害時における非難経路の確保を目的とするものではない。しかし、その構成が、後述する本発明の構成に一見類似しているため、参考として同欄に掲示したものである。
【０００９】
ここで、ドアの取付け対象である建物についての本願発明者らの見解を示す。建物は、人の居住空間を外界から安全に区画する耐久設備であって、多種多様な構成部材の集合物である。外界からの区画は、風雨や熱移動の遮断を目的とするものであり、建物を構成する多種多様な構成部材は、このような目的を達成するための処理や工夫を凝らして組み合わされる。なお、本願出願人も、特許文献３に係る特許出願を行なっている。
【００１０】
建物本来の外界からの遮断機能を高めるための処理や工夫とは、例えば、熱や音の伝播に対しては、壁面厚み内の断熱材の充填、風雨の吹込みに対しては、外壁パネル突合わせ部分のコーキング処理、ガラス周縁部のシール処理、戸枠周辺部のひさしの設置や雨切り構造、雨返し構造の採用、耐久問題に介しては、雨樋等による雨仕舞い設備の付設等が挙げられる。
【００１１】
建物に建付けられるドアは、建物本体の技術分野とは別の、建具の技術分野に属する。しかし、建物に建て付けられたドア、特に建物の外回りのドアは、建物の一部として建物本体と同一の目的に拘束される。これは、ドアにおける外界からの遮断性能が低ければ、そのドアを取り付けた建物全体についての外界からの遮断性能も低いものとならざるを得ないという理由による。
【００１２】
上記のように、建物に建て付けられたドアに対しても、建物本体に対するのと同種の要求性能があることを踏まえて上記した従来例を参照するに、通常のドアに対して、その上半分部分に別個独立に、より小寸の避難用のドアを組み込む構成を採用する提案（上記、特許文献１）は、災害時の非難経路の確保に関しては、その目的を達成することができる。
【００１３】
しかし、非難用のドアは、小寸法であることから、部材の量的な省略が可能であるとしても、ドアである限りはヒンジ金具や取っ手、その他の付属部材の品目的な省略はできないとともに、ドアに対する要求性能をドア本体と非難用のドアとについて２重に充足しなければならないこととなる。
【００１４】
すなわち、ドアに取り付けられた非難用のドアについても、風雨の遮断機能や防災、防犯機能が確実であることが求められる。この結果、製造工程、使用部材点数、製造コストの倍加的上昇が避けられないという別の問題を発生させる結果となる。また、ドア本体について要求される耐久性能に関しては、ドア板全体の長手方向および幅方向についての曲げ剛性、捩れ剛性、パネル剛性のいずれについても低下せざるを得ない。これは、非難用のドア独自に開閉操作が必要なことから非難用のドアとドア本体とを剛接合とすることができないという理由による。
【００１５】
さらに、このような構成のドアを玄関用途に用いる場合には、視覚的な違和感を感じさせない特別の工夫を要することが防犯上必要になると考えられる。
【００１６】
次に、特許文献３については、非常用開閉部材を外すときに時間がかかる場合があると共に、非常災害時にスムーズに開閉作業が行なえない場合がある。また、特許文献１〜３のいずれにも言えるが、非常用開閉部材を使用しない場合でも、換気等のために非常用開閉部材を開放したい場合にも、開閉作業を簡易で、かつ、確実に行なうことが求められるが、かかる要求に応え得るとはいえない。
【００１７】
次に、ドア板を上扉部分と、下扉部分との上下２段構成とし、下扉部分を締め切った状態において上扉部分のみの開閉操作を可能としてなる上下分割ドア（上記、特許文献２）は、上記提案の意図する目的にかかわらず、上扉部分全体が通常のドアと同様に大きく開くことから、災害時に際しての非難経路の確保に十分に貢献することができる。また、ドア板に加わる外力に関しては、上扉部分と下扉部分とがそれぞれ独立したドア板として、外力を受け止め得ると解されることから、十分な耐久性能を発揮すると考えられる。
【００１８】
ただし、上記のようにドア板を上扉部分と下扉部分とに分割する構成を採用する場合には、次のような問題が発生する。この問題は、分割した上扉部分と下扉部分とを完全に密着した構造とすることができないことに起因して生じる。
【００１９】
すなわち、分割した上扉部分と下扉部分とが密着している状態で上扉部分のみを開閉操作した場合、必然的に上扉部分の下端面と下扉部分の上端面がずれ方向に緩衝する結果、上扉部分の円滑な開閉操作が確保できないばかりでなく、無理な開閉操作の反復によって上扉部分の下端部と、下扉部分の上端部の組立て構造が破壊されることになる。すなわち、ドア板を上下に分割する構成を採用する場合には、上下いずれのドア部分を開閉操作するについても、両者間に適切な動作クリアランスを設定する必要がある。
【００２０】
しかし、上扉部分と下扉部分との間に動作クリアランスを設定した場合には、ドアが備えるべき風雨の吹込みを防ぐ機能等を大きく減殺するとともに、上扉部分と下扉部分とを連結して一枚のドア板として操作する場合の連結を何らかの連結金具に依存して確保せざるを得ない。対象がドアであって、上下に位置する２部材の連結、分離に適合するものとして想定される連結金具としては、上記特許文献２にも紹介されているように「丸落し」や「フランス落し」と称するロック金具が業界標準的であるといえる。
【００２１】
「丸落し」と称するロック金具の構造については、上記特許文献に２に詳細に説明されているところであるが、これを簡単に要約すれば、いわば、上下方向に操作するようにデザインされた閂であるといえる。この点は「フランス落し」についても同様である。また、これらのロック金具を用いた建具を実際に操作することにより容易に体験できると思われるが、ロックした状態でロックされたドア等がガタ付くことが特徴である。
【００２２】
「丸落し」や「フランス落し」を使用した建具におけるガタ付きは、これらのロック金具の構造必然的なものであり、ガタ付きを皆無とした場合には、ロック状態にすることが極めて困難になるのである。このことは、分割された上扉部分と下扉部分とを「丸落し」や「フランス落し」のみに依存して連結している場合には、直接操作していない側の扉部分のガタ付きが避けられないのである。しかし、建具関連の連結、分離可能な上下連結用途においては、他に適当なロック機構が提供されていないようである。このような上扉部分と下扉部分との一体性不足は、風雨に際して締め切った状態のドア板から異音が発生する原因となるとともに、一体物として操作する場合の操作上の違和感となって現れる。
【００２３】
そこで本発明の目的は、通常時の開閉操作は勿論、非常時にも同じ操作で開閉作業が簡易かつ確実に行えるようにするとともに、防犯上、製造上やデザイン上から、従来の建物のドアと何ら異ならないデザインの建物のドアを提供することを目的とする。また、上下のドア板の間に、適切な動作クリアランスを設定することによって、一方のドア板のみを開閉操作する場合の円滑性を確保するとともに、必要な動作クリアランスが設定された状態において、その動作クリアランスからの風雨の吹込みを確実に遮断することが可能であって、かつ、通常のドア板として操作する場合においては、上下に分断された状態のドア板の確実な一体化を実現することができる建物のドアを提供することを目的とする。
【課題を解決するための手段】
【００２４】
本発明の建物のドアは、ドア板が締め切られた状態において人が脱出することが可能なサイズの開口部が形成され、該開口部に非常用開閉部材を組み込んでなる建物のドアにおいて、前記ドア板は、戸枠に開閉自在に建て付ける非常用開閉部材であるドア板と、戸枠に開閉自在に建て付けるドア板と、これら両ドア板の連結と解除が可能な連結解除手段を備えることを特徴とする。
本発明によれば、上記両ドア板を連結解除手段により連結すれば、同時に開閉動作が可能になり、上記両ドア板を連結解除手段により解除すれば、上記両ドア板を別々に開放動作させることができる。
【００２５】
本発明としては、前記非常用開閉部材はドアノブを操作部とすることで開閉するものであり、ドア板を開閉するドアノブが前記非常用開閉部材のドアノブを兼用していることを特徴とする。
また、本発明としては、建物のドア板を開閉するドアノブを操作部とするロック機構を備え、該ロック機構は、前記非常用開閉部材のドアノブを操作部とするロック機構を兼用していることを特徴とする。
本発明によれば、ドアノブを前記非常用開閉部材のドアノブと別個に設ける必要がないので、通常は建物ドアのドアノブとして使用して、非常災害時には同じドアノブを使用して前記非常用開閉部材の開閉操作が可能である。したがって、製造上の利便や、ドアノブやロック機構を２個用意する必要がなく、防犯上の効果も有する。
本発明としては、前記ドア板は、戸枠に開閉自在に建て付ける非常用開閉部材である上側ドア板と、戸枠に開閉自在に建て付ける下側ドア板と、該下側ドア板と前記上側ドア板とを揃えて分離可能に連結する連結解除手段とを備え、前記ドア板が、上側ドア板にドアノブを操作部とするラッチロック機構を備え、このラッチロック機構が、ドアノブとともに上側ドア板に取り付けられていることを特徴とする。上記解決手段は、独立に設けられた上側ドア板と下側ドア板の締切り状態と、戸枠に対する密着性の確保とを一個のラッチロック機構によって実現するための構成を示している。
【００２６】
建物のドアには、施錠装置とは別に、ドア板の締切り状態を維持するためのラッチロック機構が必要である。ラッチロック機構は、単にドア板を締切り状態に維持するばかりではなく、ドア板を戸枠に押し付けて気密状態を維持する機能をも有する。また、建物のドアにおけるラッチロック機構は、操作の便宜上、ドアノブを操作部とするのが普通である。
【００２７】
本発明の建物のドアのように、ドア板が独立の上側ドア板と下側ドア板とから構成される場合、一個のラッチロック機構で上下のドア板の締切り状態の維持と、戸枠に対する密着性を確保するように付勢することが通常は困難となる。しかし、本発明の建物のドアにおいては、上記したように連結解除手段を介して連結された状態の上側ドア板と下側ドア板の一体性が高いので、上側ドア板を戸枠に押付けるように付勢する付勢力を雨切り板と雨返し板とを介して、殆どそのまま下側ドア板に伝達することができる。この結果、上側ドア板に対するラッチロック機構の作用をそのまま下側ドア板にも及ぼすことが可能である。
【００２８】
本発明としては、前記ドア板は、戸枠に開閉自在に建て付ける非常用開閉部材である上側ドア板と、戸枠に開閉自在に建て付ける下側ドア板と、該下側ドア板と前記上側ドア板とを揃えて分離可能に連結する連結解除手段とを備え、上側ドア板と下側ドア板のいずれか一方、または双方に室内側からのみ無鍵で操作可能な内鍵を備えることを特徴とする。上記解決手段は、締切り状態のドア板を施錠する場合の施錠箇所の好ましい選択肢を示している。すなわち、建物のドアが建物の外回り用のドアである場合には、鍵を使用して施錠操作と開錠操作とを行う外鍵を備えることは、防犯上自明の前提といえる。しかし、本発明のように、通常は、一体物であるドア板が上側ドア板と下側ドア板とに分離する構造である場合には、室内側からのみ無鍵での操作可能な施錠機構、いわゆる内鍵を上下いずれのドア板に設けるべきか、という問題が生じる。
【００２９】
上記選択的問題に対して、いわゆる内鍵を上側ドア板に設けることは有効である。本発明のドア板においては、上側ドア板から下垂する態様の雨切り板が下側ドア板の屋外側パネル面に重なっていることにより、上側ドア板が内鍵によって施錠されている限り下側ドア板が開くことがあり得ないことが構造必然的に保障されるからである。
また、内鍵を下側ドア板に設けることは有効である。その理由としては、例えば、下側ドア板に生じた開閉障害が波の寄せ引きのような変動性の開閉障害である場合において、上側ドア板を開け放って非難したような場合、下側ドア板が引き波に引かれて開いてしまうのを防止することができるからである。さらに、いわゆる内鍵を上側ドア板と下側ドア板との双方に設けることも、上記に加えて施錠の冗長化、ないし意外性による防犯効果が期待できるので有効である。
【００３０】
本発明の建物のドアとしては、建物のドア開口部の周囲に固定された戸枠に対して複数個のヒンジ金具を介して開閉自在に建て付けられ、ドアノブを介してヒンジ金具を中心にドア板を煽り動作させて開閉操作する構造の建物のドアにおいて、そのドア板が、戸枠にヒンジ金具を介して開閉自在に建て付けるパネル状の上側ドア板と、上側ドア板との間に所定の動作クリアランスを設定して戸枠に開閉自在に建て付ける下側ドア板と、下側ドア板と上側ドア板とを一直線状に揃えて分離可能に連結する連結解除手段とを備え、この際の上側ドア板は、屋外側パネル面の下端を下方に延長する態様の雨切り板を備えるとともに、下側ドア板は、室内側パネル面の上端を上方に延長する態様の雨返し板を備え、連結解除手段は、上側ドア板と下側ドア板との間に設定される動作クリアランスを雨切り板によって屋外側から塞ぐとともに、動作クリアランスを雨返し板によって室内側から塞いで一直線状に揃った状態の上側ドア板と下側ドア板とをその状態にロックすることを特徴とする。
【００３１】
ここで、上記中、「雨切り」とは、例えば、建物の外壁面等に降りかかった雨滴が外壁パネル面を流下し、外壁パネルの継ぎ目や、基礎と土台の継ぎ目等に侵入するのを防止することを目的として、流下する雨水を継ぎ目の側方または下方に案内することをいう。したがって、「雨切り板」とは、そのような機能を有する板状体を意味する。また、「雨返し」とは、２部材の継ぎ目に侵入した雨水が継ぎ目を横断して外壁パネル等の内側面を流下するのを防止することを目的として雨水の進路を遮断することをいう。したがって、「雨返し板」とは、例えば、堰板のような機能を有する板状体を意味する。また、「パネル状」とは、全体が、１枚の板状に構成されていることをいい、１部材であるか多部材の集合体であるか、表面に凹凸や段差があるか、材質がどのような材質であるか、ガラスや樹脂のような材質を含むか等は、不問である。
【００３２】
上記解決手段に含まれる構成部材は、ドア板と、ドア板を操作するためのドアノブと、戸枠にドア板を煽り動作ないし煽り動作可能に建て付けるためのヒンジ金具である。また、ドア板は、上側ドア板と下側ドア板とからなる。
【００３３】
上側ドア板と下側ドア板とは、独立しており、それぞれヒンジ金具を介して戸枠に開閉自在に建て付けられる。この際、上側ドア板と下側ドア板との間には、所定の動作クリアランスが設定される。動作クリアランスが設定される箇所の詳細は、上側ドア板の下端面と下側ドア板の上端面との間である。また、上側ドア板は、屋外側パネル面の下端を下方に延長する態様の雨切り板を備えるとともに、下側ドア板は、室内側パネル面の上端を上方に延長する態様の雨返し板を備える。
【００３４】
この結果、自然災害時等に際して、ドア板の下側に開閉支障原因が発生しても、下側ドア板をそのままとして上側ドア板のみを開いて非難することができる。この際、上側ドア板と下側ドア板との間には、動作クリアランスが設定されていることにより上側ドア板の円滑な開動作が確保されるので、上側ドア板を開く操作に起因して非難に手間取る等の問題は生じない。
【００３５】
一方、開いた上側ドア板を閉じる向きに操作すると、上側ドア板の下端から下垂する態様の雨切り板が下側ドア板の屋外側パネル面の上縁部に重なるので、下側ドア板は、独立の操作を要することなく上側ドア板に連れて閉じることができる。この際、上側ドア板の雨切り板は、両者間に設定された動作クリアランスを外側から塞ぐ。また、同時に、ドア板の室内側においてもこれと同様の動作が実現される。
【００３６】
すなわち、上側ドア板を閉じると、上側ドア板の室内側パネル面の下縁部と、下側ドア板の室内側パネル面を上方に延長する態様の雨返し板とが重なり合い、下側ドア板は、独立の操作を要することなく上側ドア板に連れて閉じる。この際、雨返し板は、両者間に設定された動作クリアランスを室内側から塞ぐことができる。また、連結解除手段は、このように一直線状に揃った上側ドア板と下側ドア板とをこの状態にロックすることができる。
【００３７】
閉じられたドア板の屋外側パネル面に降りかかった雨水は、上側ドア板の室内側パネル面を伝って雨切り板の下端から落下し、動作クリアランス内に進入することができない。仮に、想定できない事態の発生により動作クリアランス内に進入したとしても、浸入した雨水は下側ドア板の雨返し板によって室内側への侵入が阻止される。
【００３８】
雨切り板と雨返し板との組み合わせによる上記のような作用は、水と同様な流体としての風に対しても同様に発揮される。すなわち、雨切り板と雨返し板とは、相互補完的な機能を有する２重の障壁として動作クリアランス部分からの風雨の進入を強力に阻止する。
【００３９】
連結解除手段を介して連結された上側ドア板と下側ドア板との連結部分は、雨切り板と雨返し板とによって両側から挟み込まれた態様となる。したがって、雨切り板と雨返し板とは、単に、風雨の進入を阻止するばかりではなく、両者の構造的一体性を高めるようにも機能し、開閉操作上の違和感や、風によるガタ付き音の発生を防止する。
【発明の効果】
【００４０】
本発明によれば、ドアノブを前記非常用開閉部材のドアノブと別個に設ける必要がないので、通常は建物ドアのドアノブとして使用して、非常災害時には同じドアノブを使用して前記非常用開閉部材の開閉操作が可能である。したがって、製造上の利便や、ドアノブを２個用意する必要がなく、防犯上の効果も有するとともに、非常災害時には、通常時の開閉操作と同じようにスムーズに開閉作業が行なえる。
【００４１】
また、換気等のために非常用開閉部材を開放したい場合にも、開閉作業を簡易で、かつ、確実に行なうことができる。さらに、連結解除手段を介して上側ドア板と下側ドア板とを連結した場合には、両者間に設定された動作クリアランスが雨切り板と雨返し板とによって屋外側と室内側とから塞がれるとともに、上側ドア板の下端部と下側ドア板の下端部とが雨切り板と雨返し板とによって内外から挟み込んだ構造が実現されるので、両者の連結部に起因する耐候性の低下やガタ付きが発生する余地がなく、建物の一部としての空間遮断性能および取扱い性に関し、通常のドア板と同等の性能を発揮することができる。
【図面の簡単な説明】
【００４２】
【図１】本発明の建物のドアの実施の形態例を示す正面図である。
【図２】上記実施の形態例に示す建物のドアの背面図である。
【図３】上記実施の形態例に示す建物のドアの分解斜視図である。
【図４】上記実施の形態例に示す建物のドアの縦断面図である。
【図５】上記実施の形態例に示す建物のドアの要部の拡大側面図である。
【図６】上記実施の形態例に示す建物のドアの動作説明図である。
【図７】本発明の浸水防止工法に適用した状態を示す正面図である。
【図８】本発明の浸水防止工法に適用した状態を示す平面図である。
【発明を実施するための形態】
【００４３】
以下、本発明の実施の形態例を図面を引用しながら説明する。
【００４４】
今日における建物のドアは、アルミニウム合金を押出し加工し、これにアルマイト表面処理を施した、いわゆるアルミサッシを素材とするサッシドアが主流である。そこで、以下の実施の形態においても実質的需要の多いサッシドアを図示して説明する。なお、アルミサッシ素材には、軽量化と機械的剛性とを両立させるために、通常、非常に複雑な断面形状が採用される。しかし、必要もなくこのような複雑な断面形状をそのまま図示することは、いたずらに発明の内容を理解しがたくする恐れがあるので、本実施の形態欄においては、断面形状を省略して示す。
【００４５】
本発明の建物のドアは、通常の建物のドアと同様、建物のドア開口部に固定される枠状の戸枠１０と、複数個のヒンジ金具Ｊ…を介して戸枠１０に煽り動作可能に建て付けるドア板２０とからなる。戸枠１０に建て付けられた状態のドア板２０は、屋外からの正面視（図１）においても、室内からの背面視（図２）においても、通常のドア板と変りない自然な外観である。自然な外観は、盗犯等の悪意に満ちた注意を不用意に集めないことに貢献する要素である。
【００４６】
戸枠１０は、屋外からの正面視における右縦枠桟１１および左縦枠桟１２、右縦枠桟１１と左縦枠桟１２の上端部を相互に連結する態様の上枠桟１３と、下端部を相互に連結する態様の下枠桟１４とからなる四辺形の枠体である。
【００４７】
ドア板２０は、非常用開閉部材である上側ドア板２０Ａと、下側ドア板２０Ｂとからなる。両者は、一体化されておらずに独立している（図３）。なお、同図は、ドア板２０を室内側から投影した斜視図であり、上側ドア板２０Ａおよび下側ドア板２０Ｂの室内側パネル面ＰＢが上面として図示されている。
【００４８】
上側ドア板２０Ａは、左右一対の縦框２１，２１の上端部と下端部とをそれぞれ上桟２２と下桟２３とによって接合することによって枠状体を構成し、枠状体の内側にガラス板２７を嵌め込むことによって、全体を一枚のパネル状に形成したものである。左右一対の縦框２１，２１と上桟２２および下桟２３との接合は剛接合であり、上側ドア板２０Ａは、ガラス板２７に依存することなく、その外形を維持することができる。
【００４９】
上側ドア板２０Ａの下桟２３には、その屋外側パネル面ＰＡを下方に延長する態様の雨切り板２４が形成されている（図３，図４）。この際の雨切り板２４の全幅は、上側ドア板２０Ａの全幅に及ぶ。上側ドア板２０Ａの一方の縦框２１には、上下間隔を保って配置される２個のヒンジ金具Ｊ，Ｊがネジ止めされ、また、上側ドア板２０Ａの下桟２３には、ドア板２０を開閉操作するドアノブ２６およびドアノブ２６を操作部とする外鍵４０とラッチロック機構（ロック機構）５０とが組み込まれている。さらに、ドアノブ２６最寄りの縦框２１の下端面には、上下方向のキー穴３Ｈ（図３，図５，図６）が設けられている。
【００５０】
下側ドア板２０Ｂは、左右一対の縦框２１，２１の上端部と下端部とをそれぞれ上桟２２と下桟２３とによって接合することによって枠状体を構成し、枠状体の内側に羽目板２８を嵌め込むことによって、全体を一枚のパネル状に形成したものである。左右一対の縦框２１，２１と上桟２２および下桟２３との接合は剛接合であり、上側ドア板２０Ａは、羽目板２８に依存することなく、その外形を維持することができる。ただし、羽目板２８は、下側ドア板２０Ｂの外形維持に関して大きな補強効果を発揮する。つまり、ドア板２０においては、上側ドア板２０Ａより下側ドア板２０Ｂの方がパネルとしての機械的剛性が大きい。これは、建物のドアにおける開閉支障がドア板２０の下半部に集中することに対する対応策である。
【００５１】
一方、下側ドア板２０Ｂの下桟２３には、その屋内側パネル面ＰＡを上方に延長する態様の雨返し板２５が形成されている。雨返し板２５の全幅は、下側ドア板２０Ｂの全幅に及んでいる。下側ドア板２０Ｂについても、一方の縦框２１に２個のヒンジ金具Ｊ，Ｊが取り付けられ、他方の縦框２１には、連結解除手段３０と内鍵６０とが組み込まれている。
【００５２】
上側ドア板２０Ａと下側ドア板２０Ｂとは、それぞれヒンジ金具Ｊ，Ｊを介して戸枠１０の右縦枠桟１１に上下に揃えて取り付けられ、いわゆる、左開きのドア板２０を構成する（図１）。この際、上下に配置された上側ドア板２０Ａと下側ドア板２０Ｂとの間、より詳細には、上側ドア板２０Ａの下桟２３と下側ドア板２０Ｂの上桟２２との間には、好ましくは２ｍｍないし３ｍｍ程度の動作クリアランスＧが設定される（図１，図２、）。この動作クリアランスＧは、戸枠１０やヒンジ金具Ｊ…の強度、上側ドア板２０Ａおよび下側ドア板２０Ｂの建付け精度等を考慮して設定される。
【００５３】
ここで、本発明において使用している連結解除手段３０等は、一般に広く流通している施錠機構である。施錠機構は、盗犯等にリバースエンジニアリングをされないために非常に巧緻性の高い複雑な機構が採用され、実物を分解しても施錠開錠動作を解明することが容易ではないことも少なくない。そこで、連結解除手段３０等にいては、構造的な説明は、割愛し、一般的な使用のされ方と、本発明における使用のし方について簡単に説明するに止める。
【００５４】
上側ドア板２０Ａの下桟２３に組み込まれる外鍵４０およびラッチロック機構５０は、一般的な取付け態様であって一般的な使用態様で使用される。このことは、下側ドア板２０Ｂの縦框２１組込まれる内鍵６０に付いても同様である。ただし、連結解除手段３０は、本発明の建物のドア板２０に特有の使い方である。連結解除手段３０自体は、市販品であり、いわゆる丸落し、ないしフランス落しと称されるスライドキー３２を上下動させる構造である。また、本連結解除手段３０には、スライドキー３２の上下動を操作レバー３１の反転によって実施する方式のものが採用されている（図２，図３，図５，図６）。これは、地震等の振動により意図することなく連結解除手段３０が作動することがないようにとの配慮に基づく。
【００５５】
上記連結解除手段３０は、上側ドア板２０Ａの縦框２１の下端面に形成したキー穴３Ｈにスライドキー３２を対応させた配置において、下側ドア板２０Ｂの縦框２１の室内側の上端部に組み込まれている（図３，図５）。
【００５６】
所定の動作クリアランスＧを設定して一枚のドア板２０を形成するように戸枠１０に建て付けられた上側ドア板２０Ａと下側ドア板２０Ｂとは、仮に、単独で戸枠１０に取り付けられたとすれば、それぞれ、ヒンジ金具Ｊ，Ｊを介して自由に開閉動作をすることができる状態である。しかし、本発明のドア板２０においては、上側ドア板２０Ａを開操作しなければ、下側ドア板２０Ｂが不用意に開くことがないという順序関係と、上側ドア板２０Ａを閉操作すれば、下側ドア板２０Ｂも連動して閉操作されるという連動関係とが成立している。これにより、下側ドア板２０Ｂの防犯性能の低下や、不注意による締め忘れ、開閉操作の煩雑化といった弊害の発生が押さえ込まれているのである。
【００５７】
次に、本実施の形態の建物のドアを実際に使用する場合の一連の動作関係を説明する。
【００５８】
本発明の建物のドア板２０は、平常時においては、上側ドア板２０Ａと下側ドア板２０Ｂとを連結して通常のドア板２０と全く同様に使用する。この際の上側ドア板２０Ａと下側ドア板２０Ｂとを一体化に関与するのが、雨切り板２４と、雨返し板２５と、連結解除手段３０とである。
【００５９】
ここで、上側ドア板２０Ａが開放されている状態（図６に示す状態）を基準として、上側ドア板２０Ａを閉方向Ｆ２に操作すると、上側ドア板２０Ａの屋外側パネル面ＰＡから下垂する雨切り板２４が下側ドア板２０Ｂの屋外側パネル面ＰＡに重なるように緩衝すると同時に、上側ドア板２０Ａの室内側パネル面ＰＢが下側ドア板２０Ｂの室内側パネル面ＰＢから立ち上る雨返し板２５に重なるように緩衝する。この際、上側ドア板２０Ａの下端面と下側ドア板２０Ｂの上端面との間に動作クリアランスＧが設定されていることにより、上側ドア板２０Ａの閉操作は円滑に実行することができる。
【００６０】
雨切り板２４と雨返し板２５とが互いに上側ドア板２０Ａと下側ドア板２０とに重なり合うことにより、上側ドア板２０Ａを閉じ方向Ｆ２に操作する操作力は、そのまま下側ドア板２０に伝達される。したがって、上側ドア板２０Ａと下側ドア板２０とは、一体となって戸枠１０に押し付けられ、ラッチロック機構５０の自動作動により締切り位置にロックされる（図５に示す状態）。
【００６１】
上記の他律的に締切り位置にロックされた下側ドア板２０Ｂは、例えば、室内側から雨切り板２４と雨返し板２５を同時に折損するような強大な力が加わらない限り単独で開くことはない。また、室内側からドア板２０にそのような強大な力が作用することは想定できないばかりでなく、想定する必要性にも乏しいといえる。
【００６２】
締切り位置にロックされた上側ドア板２０Ａと下側ドア板２０とは、連結解除手段３０の操作レバー３１を起立させて反対側に倒す内容の反転操作をすることによってスライドキー３２を上方に押し出すようにスライドさせ、一体化させることができる。これにより、上側ドア板２０Ａと下側ドア板２０Ｂは、通常のドア板２０として平常使用することができる。なお、この状態において下側ドア板２０Ｂから上方に押し出されたスライドキー３２は、上側ドア板２０Ａに形成されたキー穴３Ｈに差し込まれた状態となっている。
【００６３】
また、上側ドア板２０Ａと下側ドア板２０Ｂの連結部分、つまり、動作クリアランスＧの部分は、雨切り板２４と雨返し板２５とにより、屋外側と室内側とから挟み込まれた状態となり、この結果、連結解除手段３０のスライドキー３２一本により、ガタ付きのない安定な連結状態と、一体製のドア板と比べて遜色のない耐候性能および遮音性能と、自然な外観とが実現され、本願の発明者らの意図するところが遺憾なく実現されている。
【００６４】
ここで、締切り位置にロックされた下側ドア板２０Ｂに対しては、内鍵６０によって戸枠１０にロックすることができる。スライドキー６２を側方に押し出す方式の内鍵６０に対する操作および内鍵６０の機能（図２，図３）は、通常の内鍵と同様であるが、本発明のドア板２０においては、内鍵６０を施錠した状態において上側ドア板２０Ａのみを開方向Ｆ１方向に操作することが可能である（図６）。
すなわち、上側ドア板２０Ａと下側ドア板２０Ｂとは、連結解除手段３０のスライドキー３２一本によるシンプルな機構により一体性を確保しているのであり、緊急時においては、鍵や煩雑な操作を要することなく室内側から両者を瞬時に切り離すことができ、切り離された上側ドア板２０Ａは、下側ドア板２０の拘束を受けることなく自由に開閉できる。
【００６５】
上記実施の形態の説明においては、いわゆるサッシドアを例示して本発明を開示しているが、前述したように本発明は、特定の素材でなければ実施困難であるというような素材に対する依存性は全くないので、自然素材を見直す考え方の影響力にもより郊外型住宅の玄関ドア用途として地域的流行の傾向を見せている木製のドアや、特に、事務所や工場向け建物に需要される防犯機能の高いスチールドアとして実施することもできる。また、ドアノブ２６は、レバー式であっても良く、中央にボタンが付いて施錠したり、鍵穴がついて施錠するタイオなどにも適用可能である。
【００６６】
浸水防止シート１０が施工された家屋２０への人の出入りを確保する他の方法としては、上玄関保護囲い４０を利用する方法や、上記ドア板１２と浸水防止シート１０を組み合わせて使用することもできる（図７、図８）。以下では、上玄関保護囲い４０を利用する方法で説明するが、上記ドア板１２と浸水防止シート１０のみでも浸水防止施工が可能である（図７、図８）。
【００６７】
玄関保護囲い４０は、家屋２０の玄関口開口の左右位置に設置する一対の側壁４１，４１と、側壁４１，４１の先端部の内側面に添え付ける門柱形のガイドポスト４２，４２と、ガイドポスト４２，４２に形成した案内溝に嵌め込む任意枚数の堰板４３とから、例えば、門扉のような外観を有するように組み立てることができる。側壁４１、ガイドポスト４２、堰板４３の材質は特に限定されないが、大きな開口部がなく、家屋２０内に侵入しようとする水の水圧に耐える強度を有することが要件となる。堰板嵌込み方式は、小規模河川の水位調節用の水門に応用される遮断方式であり、使用する堰板４２の枚数によって、上端部の高さを加減することができる。
【００６８】
上記のような玄関保護囲い４０は、平時には堰板４２を使用せずに専ら玄関部を風雨から保護する目的で使用することができる。堰板４２は、大雨洪水警報等に際して、人が通行することができる高さの範囲で必要枚数を左右のガイドポスト４２，４２間に嵌め込んで使用する。浸水防止シート１０は、玄関保護囲い４０を家屋２０の一部と見なし、その外側を取り囲むように施工する。本方法においては、玄関扉２４に対しては浸水防止シート１０が施工されないので、屋外の浸水水位が玄関扉２４に及ぶレベルに上昇しても玄関扉２４の開閉操作には支障が及ばない。したがって、家屋２０内への水の侵入を阻止しつつ、本発明の浸水防止工法を施工した家屋２０への自由な出入りが確保される。
【符号の説明】
【００６９】
Ｇ            動作クリアランス、
Ｊ            ヒンジ金具、
ＰＡ          屋外側パネル面、
ＰＢ          室内側パネル面、
１０          戸枠、
２０          ドア板、
２０Ａ        上側ドア板（非常用開閉部材）、
２０Ｂ        下側ドア板、
２４          雨切り板、
２５          雨返し板、
２６          ドアノブ、
３０          連結解除手段、
４０          外鍵、
５０          ラッチロック機構（ロック機構）、
６０          内鍵
２４          玄関扉、
２Ｅ          緊急時開口部、
４０          玄関保護囲い、
４１          側壁、
４２          堰板
【図１】
2014114668.tif 000003
【図２】
2014114668.tif 000004
【図３】
2014114668.tif 000005
【図４】
2014114668.tif 000006
【図５】
2014114668.tif 000007
【図６】
2014114668.tif 000008
【図７】
2014114668.tif 000009
【図８】
2014114668.tif 000010